(57)【要約】【課題】利用者がＩＤ種別を意識することなくＩＤを読み取り、関連情報を得ることを可能にする。【解決手段】本発明は、カメラやスキャナを含む撮影手段からディジタル形式の画像を取得する画像取得手段と、取得した画像が１次元バーコード、２次元バーコード、電子透かし入り画像、通常画像であっても、該画像からＩＤを取り出すマルチＩＤ解読手段と、ＩＤを無線で外部にあるＩＤ情報データベースに送信するＩＤ送信手段と、ＩＤ情報データベースから情報を無線で受け取る情報受信手段とを有する。【選択図】      図１
2004179783.tif 000002
【特許請求の範囲】
【請求項１】
画像からＩＤを読み取り、ＩＤに関連付けられた情報を携帯機器上で表示・再生する携帯用クライアント装置であって、
装置に内蔵されているカメラやスキャナを含む撮影手段からディジタル形式の画像を取得する画像取得手段と、
取得した前記画像が１次元バーコード、２次元バーコード、電子透かし入り画像、通常画像であっても、該画像からＩＤを取り出すマルチＩＤ解読手段と、
前記ＩＤを無線で外部にあるＩＤ情報データベースに送信するＩＤ送信手段と、
前記ＩＤ情報データベースから情報を無線で受け取る情報受信手段とを有することを特徴とする携帯用クライアント装置。
【請求項２】
前記マルチＩＤ解読手段は、
前記１次元バーコード、２次元バーコード、前記電子透かし入り画像、前記通常画像から、画像の特徴量を用いて画像を選択する手段を含む請求項１記載の携帯用クライアント装置。
【請求項３】
前記マルチＩＤ解読手段は、
画像から輝度ヒストグラムを計算するヒストグラム計算手段と、
画像を周波数空間へ変換する周波数変換手段と、
電子透かしを解読する電子透かし解読手段と、
フィンガープリントの認識を行うフィンガープリント認識手段と、
１次元バーコードの解読を行う１次元バーコード解読手段と、
２次元バーコードの解読を行う２次元バーコード解読手段と、
これらの手段を制御する制御手段とを有し、
前記制御手段は、
最初に前記ヒストグラム計算手段に対して画像から輝度ヒストグラムを求めさせ、輝度ヒストグラムが２ピークならば、前記周波数変換手段に対して画像から周波数に変換する処理を行わせ、該周波数変換手段において周波数空間画像上の２軸方向にピークが分布していれば、２次元バーコードと判定し、前記２次元バーコード解読手段に対して、２次元バーコードの解読を行わせ、１軸方向へピークが分布していれば、１次元バーコードと判断し、前記１次元バーコード解読手段に対して、１次元バーコードの解読を行わせ、
輝度ヒストグラムが２ピークではなく、ピークの分布が軸方向になければ、前記電子透かし解読手段に対して、電子透かしを解読させ、読み取れなければ、通常画像と判定し、前記フィンガープリント認識手段に対して、フィンガープリントの認識をさせる手段を含む請求項１または、２記載の携帯用クライアント装置。
【請求項４】
画像からＩＤを読み取り、ＩＤに関連付けられた情報を携帯機器上で表示・再生する携帯用クライアント装置を有する携帯用クライアント支援システムであって、
取得した画像が１次元バーコード、２次元バーコード、電子透かし入り画像、通常画像であっても、該画像からＩＤを取り出して、前記ＩＤ情報データベースに送信するマルチＩＤ解読装置と、
無線通信により受け取ったＩＤに基づいて該ＩＤに対応する情報を前記携帯用クライアント装置に送信するＩＤ情報データベースと、を有し、
前記携帯用クライアント装置は、
装置に内蔵されているカメラやスキャナを含む撮影手段からディジタル形式の画像を取得する画像取得手段と、
取得した画像を無線で前記マルチＩＤ解読装置に送信する画像送信手段と、
前記ＩＤ情報データベースから情報を無線で受け取る情報受信手段とを有することを特徴とする携帯用クライアント支援システム。
【請求項５】
前記マルチＩＤ解読装置は、
前記１次元バーコード、２次元バーコード、前記電子透かし入り画像、前記通常画像から、画像の特徴量を用いて画像を選択する手段を含む請求項４記載の携帯用クライアント支援システム。
【請求項６】
前記マルチＩＤ解読装置は、
画像から輝度ヒストグラムを計算するヒストグラム計算手段と、
画像を周波数空間へ変換する周波数変換手段と、
電子透かしを解読する電子透かし解読手段と、
フィンガープリントの認識を行うフィンガープリント認識手段と、
１次元バーコードの解読を行う１次元バーコード解読手段と、
２次元バーコードの解読を行う２次元バーコード解読手段と、
これらの手段を制御する制御手段とを有し、
前記制御手段は、
最初に前記ヒストグラム計算手段に対して画像から輝度ヒストグラムを求めさせ、輝度ヒストグラムが２ピークならば、前記周波数変換手段に対して画像から周波数に変換する処理を行わせ、該周波数変換手段において周波数空間画像上の２軸方向にピークが分布していれば、２次元バーコードと判定し、前記２次元バーコード解読手段に対して、２次元バーコードの解読を行わせ、１軸方向へピークが分布していれば、１次元バーコードと判断し、前記１次元バーコード解読手段に対して、１次元バーコードの解読を行わせ、
輝度ヒストグラムが２ピークではなく、ピークの分布が軸方向になければ、前記電子透かし解読手段に対して、電子透かしを解読させ、読み取れなければ、通常画像と判定し、前記フィンガープリント認識手段に対して、フィンガープリントの認識をさせる手段を含む請求項４または、５記載の携帯用クライアント支援システム。
【請求項７】
取得した画像からＩＤを解読するＩＤ解読方法において、
画像から輝度ヒストグラムを計算するヒストグラム計算過程と、
画像を周波数空間へ変換する周波数変換過程と、
電子透かしを解読する電子透かし解読過程と、
フィンガープリントの認識を行うフィンガープリント認識過程と、
１次元バーコードの解読を行う１次元バーコード解読過程と、
２次元バーコードの解読を行う２次元バーコード解読過程と、からなり、
最初に前記ヒストグラム計算過程を行い、輝度ヒストグラムが２ピークならば、前記周波数変換過程を行い、該周波数変換過程において周波数空間画像上の２軸方向にピークが分布していれば、２次元バーコードと判定し、前記２次元バーコード解読過程を行い、１軸方向へピークが分布していれば、１次元バーコードと判断し、前記１次元バーコード解読過程を行い、
輝度ヒストグラムが２ピークではなく、ピークの分布が軸方向になければ、前記電子透かし解読過程を行い、読み取れなければ、通常画像と判定し、前記フィンガープリント認識過程を実行することを特徴とするＩＤ解読方法。
【請求項８】
取得した画像からＩＤを解読するＩＤ解読プログラムであって、
画像から輝度ヒストグラムを計算するヒストグラム計算ステップと、
画像を周波数空間へ変換する周波数変換ステップと、
電子透かしを解読する電子透かし解読ステップと、
フィンガープリントの認識を行うフィンガープリント認識ステップと、
１次元バーコードの解読を行う１次元バーコード解読ステップと、
２次元バーコードの解読を行う２次元バーコード解読ステップと、からなり、
最初に前記ヒストグラム計算ステップを行い、輝度ヒストグラムが２ピークならば、前記周波数変換ステップを行い、該周波数変換ステップにおいて周波数空間画像上の２軸方向にピークが分布していれば、２次元バーコードと判定し、前記２次元バーコード解読ステップを行い、１軸方向へピークが分布していれば、１次元バーコードと判断し、前記１次元バーコード解読ステップを行い、
輝度ヒストグラムが２ピークではなく、ピークの分布が軸方向になければ、前記電子透かし解読ステップを行い、読み取れなければ、通常画像と判定し、前記フィンガープリント認識ステップを実行することを特徴とするＩＤ解読プログラム。
【発明の詳細な説明】
【０００１】
【発明の属する技術分野】
本発明は、携帯用クライアント装置及び携帯用クライアント支援システム及びＩＤ解読方法及びＩＤ解読プログラムに係り、特に、カメラ付き携帯機器により物体に貼り付けてあるＩＤを読み取り、ＩＤに関連付けられた情報を携帯機器上で表示・再生するための携帯用クライアント装置及び携帯用クライアント支援システム及びＩＤ解読方法及びＩＤ解読プログラムに関する。
【０００２】
【従来の技術】
従来、カメラ付き携帯機器により物体に貼り付けてあるＩＤを読み取り、当該ＩＤに関連付けられた情報を携帯機器上で表示あるいは再生する技術があり、当該技術におけるＩＤとしてはバーコードが使われている。
【０００３】
【発明が解決しようとする課題】
将来は、従来のようなバーコードだけでなく、活字、電子透かし、フィンガープリントなどを用いたＩＤ読み取りも利用できるようになると予想されるが、利用者は、これらのＩＤの種類により、異なる読み取り機器あるいは、異なる読み取りソフトウェアを使い分ける必要があり不便である。バーコードを除く、活字と電子透かしとフィンガープリントではＩＤが埋め込まれているかを外観からは判定できず、読み取りの試行錯誤が必要である。
【０００４】
本発明は、上記の点に鑑みなされたもので、利用者がＩＤ種別を意識することなくＩＤを読み取り、関連情報を得ることが可能な携帯用クライアント装置及び携帯用クライアント支援システム及びＩＤ解読方法及びＩＤ解読プログラムを提供することを目的とする。
【０００５】
【課題を解決するための手段】
図１は、本発明の第１の原理構成図である。
【０００６】
本発明は、画像からＩＤを読み取り、ＩＤに関連付けられた情報を携帯機器上で表示・再生する携帯用クライアント装置１００であって、
装置に内蔵されているカメラやスキャナを含む撮影手段からディジタル形式の画像を取得する画像取得手段１１０と、
取得した画像が１次元バーコード、２次元バーコード、電子透かし入り画像、通常画像であっても、該画像からＩＤを取り出すマルチＩＤ解読手段１２０と、
ＩＤを無線で外部にあるＩＤ情報データベース３００に送信するＩＤ送信手段１３０と、
ＩＤ情報データベース３００から情報を無線で受け取る情報受信手段１４０とを有する。
【０００７】
また、本発明のマルチＩＤ解読手段１２０は、１次元バーコード、２次元バーコード、電子透かし入り画像、通常画像から、画像の特徴量を用いて画像を選択する手段を含む。
【０００８】
また、本発明のマルチＩＤ解読手段１２０は、
画像から輝度ヒストグラムを計算するヒストグラム計算手段と、
画像を周波数空間へ変換する周波数変換手段と、
電子透かしを解読する電子透かし解読手段と、
フィンガープリントの認識を行うフィンガープリント認識手段と、
１次元バーコードの解読を行う１次元バーコード解読手段と、
２次元バーコードの解読を行う２次元バーコード解読手段と、
これらの手段を制御する制御手段とを有し、
制御手段は、
最初にヒストグラム計算手段に対して画像から輝度ヒストグラムを求めさせ、輝度ヒストグラムが２ピークならば、周波数変換手段に対して画像から周波数に変換する処理を行わせ、該周波数変換手段において周波数空間画像上の２軸方向にピークが分布していれば、２次元バーコードと判定し、２次元バーコード解読手段に対して、２次元バーコードの解読を行わせ、１軸方向へピークが分布していれば、１次元バーコードと判断し、１次元バーコード解読手段に対して、１次元バーコードの解読を行わせ、
輝度ヒストグラムが２ピークではなく、ピークの分布が軸方向になければ、電子透かし解読手段に対して、電子透かしを解読させ、読み取れなければ、通常画像と判定し、フィンガープリント認識手段に対して、フィンガープリントの認識をさせる手段を含む。
【０００９】
図２は、本発明の第２の原理構成図である。
【００１０】
本発明は、画像からＩＤを読み取り、ＩＤに関連付けられた情報を携帯機器上で表示・再生する携帯用クライアント装置１００を有する携帯用クライアント支援システムであって、
取得した画像が１次元バーコード、２次元バーコード、電子透かし入り画像、通常画像であっても、該画像からＩＤを取り出して、ＩＤ情報データベースに送信するマルチＩＤ解読装置２００と、
無線通信により受け取ったＩＤに基づいて該ＩＤに対応する情報を携帯用クライアント装置に送信するＩＤ情報データベース３００と、を有し、
携帯用クライアント装置１００は、
装置に内蔵されているカメラやスキャナを含む撮影手段からディジタル形式の画像を取得する画像取得手段１１０と、
取得した画像を無線でマルチＩＤ解読装置に送信する画像送信手段１２０と、
ＩＤ情報データベース３００から情報を無線で受け取る情報受信手段１４０とを有する。
【００１１】
また、本発明のマルチＩＤ解読装置２００は、
１次元バーコード、２次元バーコード、電子透かし入り画像、通常画像から、画像の特徴量を用いて画像を選択する手段を含む。
【００１２】
また、本発明のマルチＩＤ解読装置２００は、
画像から輝度ヒストグラムを計算するヒストグラム計算手段と、
画像を周波数空間へ変換する周波数変換手段と、
電子透かしを解読する電子透かし解読手段と、
フィンガープリントの認識を行うフィンガープリント認識手段と、
１次元バーコードの解読を行う１次元バーコード解読手段と、
２次元バーコードの解読を行う２次元バーコード解読手段と、
これらの手段を制御する制御手段とを有し、
制御手段は、
最初にヒストグラム計算手段に対して画像から輝度ヒストグラムを求めさせ、輝度ヒストグラムが２ピークならば、周波数変換手段に対して画像から周波数に変換する処理を行わせ、該周波数変換手段において周波数空間画像上の２軸方向にピークが分布していれば、２次元バーコードと判定し、２次元バーコード解読手段に対して、２次元バーコードの解読を行わせ、１軸方向へピークが分布していれば、１次元バーコードと判断し、１次元バーコード解読手段に対して、１次元バーコードの解読を行わせ、
輝度ヒストグラムが２ピークではなく、ピークの分布が軸方向になければ、電子透かし解読手段に対して、電子透かしを解読させ、読み取れなければ、通常画像と判定し、フィンガープリント認識手段に対して、フィンガープリントの認識をさせる手段を含む。
【００１３】
本発明は、取得した画像からＩＤを解読するＩＤ解読方法において、
画像から輝度ヒストグラムを計算するヒストグラム計算過程と、
画像を周波数空間へ変換する周波数変換過程と、
電子透かしを解読する電子透かし解読過程と、
フィンガープリントの認識を行うフィンガープリント認識過程と、
１次元バーコードの解読を行う１次元バーコード解読過程と、
２次元バーコードの解読を行う２次元バーコード解読過程と、からなり、
最初にヒストグラム計算過程を行い、輝度ヒストグラムが２ピークならば、周波数変換過程を行い、該周波数変換過程において周波数空間画像上の２軸方向にピークが分布していれば、２次元バーコードと判定し、２次元バーコード解読過程を行い、１軸方向へピークが分布していれば、１次元バーコードと判断し、１次元バーコード解読過程を行い、
輝度ヒストグラムが２ピークではなく、ピークの分布が軸方向になければ、電子透かし解読過程を行い、読み取れなければ、通常画像と判定し、フィンガープリント認識過程を行う。
【００１４】
本発明は、取得した画像からＩＤを解読するＩＤ解読プログラムであって、
画像から輝度ヒストグラムを計算するヒストグラム計算ステップと、
画像を周波数空間へ変換する周波数変換ステップと、
電子透かしを解読する電子透かし解読ステップと、
フィンガープリントの認識を行うフィンガープリント認識ステップと、
１次元バーコードの解読を行う１次元バーコード解読ステップと、
２次元バーコードの解読を行う２次元バーコード解読ステップと、からなり、
最初にヒストグラム計算ステップを行い、輝度ヒストグラムが２ピークならば、周波数変換ステップを行い、該周波数変換ステップにおいて周波数空間画像上の２軸方向にピークが分布していれば、２次元バーコードと判定し、２次元バーコード解読ステップを行い、１軸方向へピークが分布していれば、１次元バーコードと判断し、１次元バーコード解読ステップを行い、
輝度ヒストグラムが２ピークではなく、ピークの分布が軸方向になければ、電子透かし解読ステップを行い、読み取れなければ、通常画像と判定し、フィンガープリント認識ステップを実行する。
【００１５】
上記のように、本発明は、１次元バーコード、２次元バーコード、前記電子透かし入り画像、前記通常画像のいずれの画像が入力されても、ＩＤを取得することが可能となる。このとき、これらの４つのパターンを順番に総当たりするのではなく、まず、画像の特徴量を用いて４つのうちのどれが入っているかを判定することにより、総当たりに比べて処理が少なくて済み、ハードウェアやソフトウェアの規模が少なくて済む。
【００１６】
このような機能を設けることにより、利用者はＩＤ種別を意識することなくＩＤを読み取り、関連情報を得ることが可能となる。
【００１７】
【発明の実施の形態】
以下、図面と共に本発明の実施の形態について説明する。
【００１８】
図３は、本発明の一実施の形態における携帯用マルチＩＤクライアント装置の構成（その１）を示す。
【００１９】
同図に示す携帯用マルチＩＤクライアント装置１００は、ディジタル形式の画像を取得する画像取得部１１０、画像が一次元及び２次元のバーコードであっても、電子透かし入り画像であっても、通常画像であっても、入力された画像からＩＤを取り出すマルチＩＤ解読部１２０と、ＩＤを無線で送信するＩＤ送信部１３０と、情報を無線で受け取る情報受信部１４０を有し、ＩＤ送信部１３０と情報受信部１４０との通信先となるＩＤ情報データベース３００が公衆無線回線で接続されている。ＩＤ情報データベース３００は、ＩＤ送信部１３０からＩＤを受け取った後、ＩＤに対応付けられた情報を検索して、携帯用マルチＩＤクライアント装置１００の情報受信部１４０に送信する。
【００２０】
また、上記のマルチＩＤ解読部１２０が、図４に示すように携帯用マルチＩＤクライアント装置１００の外部にマルチＩＤ解読装置２００としてあってもよい。
【００２１】
図４は、本発明の一実施の形態における携帯用マルチＩＤクライアント装置の構成（その２）を示す。同図に示すシステムの場合には、携帯用マルチＩＤクライアント装置１００内には、画像取得部１１０、画像送信部１５０、情報受信部１４０のみを設け、画像送信部１５０は、取得した画像を無線でマルチＩＤ解読装置２００に送信する。これにより、マルチＩＤ解読装置２００は、画像からＩＤを解析し、ＩＤ情報データベース３００に送信する。ＩＤ情報データベース３００は、マルチＩＤ解読装置２００から受け取ったＩＤに基づいて、当該ＩＤに対応する情報を検索して、携帯用マルチＩＤクライアント装置１００の情報受信部１４０に送信する。
【００２２】
次に、上記のマルチＩＤ解読部１２０及びマルチＩＤ解読装置２００の動作について説明する。
【００２３】
図５は、本発明の一実施の形態におけるマルチＩＤ解読部の動作のフローチャートである。
【００２４】
まず、画像の輝度ヒストグラムを計算する（ステップ１０１）。
【００２５】
輝度ヒストグラムが２ピークならば（ステップ１０２，はい）、白と黒だけで構成されたバーコードである可能性が高く、バーコードであると判定された画像は、さらにフーリエ変換や離散コサイン変換などを用いて周波数空間へ変換する（ステップ１０３）。周波数空間画像上の２軸方向にピークが分布していれば（ステップ１０４，あり）、２次元バーコードと判定し、２次元バーコード解読を行う（ステップ１０５）。１軸方向へピークが分布していれば（ステップ１０４，なし、ステップ１０６，あり）、１次元バーコードと判断し、１次元バーコード解読を行う（ステップ１０７）。
【００２６】
輝度ヒストグラムが２ピークでなければ（ステップ１０２，いいえ）、透かし入り画像あるいは通常画像である可能性が高い。ピークの分布が軸方向になければ（ステップ１０６，なし）、それはバーコードではなく、透かし入り画像か通常画像であると判定し、透かし入り画像及び通常画像の処理を行う。透かし入り画像か通常画像の場合はまず、透かしを読み取り（ステップ１０８）、読み取れなければ（ステップ１０９、失敗）、通常画像と判定し、フィンガープリントを認識する（ステップ１１０）。
【００２７】
なお、上記図５の動作をプログラムとして構築し、マルチＩＤ解読プログラムとしてマルチＩＤ解読部１２０及びマルチＩＤ解読装置にインストールすることも可能である。
【００２８】
図６に通常画像と透かし入り画像、２次元バーコード、及び、１次元バーコードについての元画像と輝度ヒストグラムと周波数空間へ変換した画像の例を示す。輝度ヒストグラムから、２次元と１次元のバーコードは白と黒の２ピークを持つが、通常画像と透かし入り画像は白と黒の間に分布が及んでいることがわかる。また、周波数空間へ変換した画像から、２次元バーコードはピーク（白く見える部分）が２軸に分布していること、１次元バーコードでは、ピークが１軸に分布していることが分かる。参考までに、通常画像と透かし画像の場合の画像も掲載しているが、これらはピークが中心に集中しており、軸方向へは分布していない。
【００２９】
本発明で使用する１次元バーコードと２次元バーコード解読技術は、一般的であるので省略するが、ここでは、電子透かし技術とフィンガープリント技術について説明する。
【００３０】
電子透かし技術は、人間の目にはわからないように画像に情報を埋め込み、また、情報埋め込み済画像から情報を取り出す技術である。フィンガープリント技術は、通常の画像の特徴量を取り出し、特徴量をよりどころに画像の同一性を判定する技術である。画像は何でもよく、どのような画像からでも何等かの特徴量を計算して取り出すことができる。この特徴量をＩＤとすれば、画像インデックス付けが可能である。それぞれの技術の詳細は、『中村他，  Ｔｈｅ  １９９９  Ｓｙｍｐｏｓｉｕｍｏｎ  Ｃｒｙｐｔｏｇｒａｐｈｙ  ａｎｄ  Ｉｎｆｏｒｍａｔｉｏｎ  Ｓｅｃｕｒｉｔｙ，「電子透かしにおける平行移動・切り取り耐性向上の一手法」』や、『村井正人他，「動画像の特性情報（画紋）を用いた動画像検索に関する検討」電子情報通信学会・総合大会１９９９年  ３月，  Ｄ−１２−１６５』を参照されたい。
【００３１】
【実施例】
以下、図面と共に本発明の実施例を説明する。
【００３２】
［第１の実施例］
図７は、本発明の第１の実施例の携帯電話情報サービスの例を示す。
【００３３】
同図に示す携帯電話機１００は、カメラ１０１が付帯されている。当該携帯電話機１００は、前述の図３の構成におけるマルチＩＤ解読部１２０として、図５に示したロジックを実行するＩＤ検出ソフトウェア１２１を有している。
【００３４】
携帯電話機１００のカメラ１０１で、電子透かし入り画像、バーコード、通常画像のいずれかを撮影し、画像取得部１１０で撮影された画像を取込み、ＩＤ検出ソフトウェア１２１で画像のＩＤを取り出す。次に、ＩＤ送信部１３０において、取り出されたＩＤを電子メールやｈｔｔｐプロトコルにて、ＩＤ情報データベース３００に送信する。情報受信部１４０において、ＩＤ情報データベース３００からＩＤに対応する情報を受信し、当該情報や情報へのポインタを表現することにより利用者に提供する。
【００３５】
［第２の実施例］
図８は、本発明の第２の実施例の携帯スキャナ情報サービスの例を示す。
【００３６】
本実施例は、前述の第１の実施例のカメラ１０１をスキャナ１０２に置き換えたものであり、動作は第１の実施例と同様である。
【００３７】
［第３の実施例］
図９は、本発明の第３の実施例の携帯電話機録画予約の例を示す。
【００３８】
本実施例では、携帯電話機１００において、ＩＤを取り出すまでの動作は、前述の第１の実施例と同様である。本実施例では、ＩＤは、番組の録画予約情報を示すもの（例えば、Ｇコード）であり、これをＩＤ送信部１３０から家庭用ビデオ遠隔ユニット３１０へ送信する。これにより、家庭用ビデオ遠隔ユニット３１０は、受信したＩＤに従い、ビデオ録画予約を実行する。
【００３９】
［第４の実施例］
図１０は、本発明の第４の実施例の携帯電話機チケット予約サービスの例を示す。
【００４０】
本実施例では、携帯電話機１００がＩＤを取り出すまでは、前述の第１の実施例と同様である。本実施例では、ＩＤは、チケット予約情報（チケットの種類、チケットの属性、予約申込先）を示すものであり、これを、ＩＤ・連絡先送信部１３１において、ＩＤ（チケット予約情報）と利用先連絡先（携帯電話番号や携帯メールアドレス）を電子メールやｈｔｔｐプロトコルにてチケット自動予約センタ３２０に送信する。これにより、チケット自動予約センタ３２０では、受信した情報に従い、チケット予約を実行する。
【００４１】
なお、本発明は、上記の実施の形態及び実施例に限定されることなく、特許請求の範囲内において、種々変更・応用が可能である。
【００４２】
【発明の効果】
上述のように、本発明によれば、利用者はＩＤ種別を意識することなくＩＤを読み取り、関連情報を得ることができる。
【図面の簡単な説明】
【図１】本発明の第１の原理構成図である。
【図２】本発明の第２の原理構成図である。
【図３】本発明の一実施の形態におけるシステム構成図（その１）である。
【図４】本発明の一実施の形態におけるシステム構成図（その２）である。
【図５】本発明の一実施の形態におけるマルチＩＤ解読部の動作のフローチャートである。
【図６】本発明の一実施の形態における輝度ヒストグラムと周波数空間変換画像の例である。
【図７】本発明の第１の実施例の携帯電話情報サービスの例である。
【図８】本発明の第２の実施例の携帯スキャナ情報サービスの例である。
【図９】本発明の第３の実施例の携帯電話機録画予約の例である。
【図１０】本発明の第４の実施例の携帯電話機チケット予約サービスの例である。
【符号の説明】
１０  公衆無線回線
１００  携帯用クライアント装置、携帯用マルチＩＤクライアント装置、カメラ付き携帯電話機、スキャナ付き携帯電話機
１０１  カメラ
１０２  スキャナ
１１０  画像取得手段、画像取得部
１２０  マルチＩＤ解読手段、マルチＩＤ解読部
１２１  ＩＤ検出ソフトウェア
１３０  ＩＤ送信手段、ＩＤ送信部
１３１  ＩＤ・連絡先送信部
１４０  情報受信手段、情報受信部
１５０  画像送信手段、画像送信部
２００  マルチＩＤ解読装置
３００  ＩＤ情報データベース
３１０  家庭用ビデオ遠隔録画ユニット
【図１】
2004179783.tif 000003
【図２】
2004179783.tif 000004
【図３】
2004179783.tif 000005
【図４】
2004179783.tif 000006
【図５】
2004179783.tif 000007
【図６】
2004179783.tif 000008
【図７】
2004179783.tif 000009
【図８】
2004179783.tif 000010
【図９】
2004179783.tif 000011
【図１０】
2004179783.tif 000012